(57)【要約】【課題】開口部を塞ぐ止水板の軽量化を図ることができる開口部の防水装置を提供する。【解決手段】開口部の防水装置１は、構造物Ｓの屋内側と屋外側とを連通しかつ開閉扉４によって開閉される開口部Ｏの幅方向に対応して設けられた一対の縦方立３ａに取り付けられる第１止水板１０と、第２止水板１１と、補強部材１２とを備えている。第１止水板１０の一端部１０ａは保持部材２０により縦方立３ａに取り付けられる。第２止水板１１は、第１止水板１０の他端部１０ｂ同士を連結する。補強部材１２は、第１止水板１０の内面１０ｃに重なる第１重なり面１２ａと第２止水板１１の内面１１ｃに重なる第２重なり面１２ｂとを有する。【選択図】図１
2019123989.tif 000002
【特許請求の範囲】
【請求項１】
構造物の屋内側と屋外側とを連通しかつ開閉体によって開閉される開口部の幅方向に対向して設けられた一対の受け部材それぞれに一端部が取り付けられて、前記開口部よりも屋外側で床面から立設する一対の第１止水板と、
前記第１止水板の他端部同士を連結して床面から立設する第２止水板と、
前記第１止水板の屋内側の内面に重なる第１重なり部と、前記第２止水板の屋内側の内面に重なる第２重なり部とを有する補強部材と、
を備えることを特徴とする開口部の防水装置。
【請求項２】
前記補強部材は、一対設けられ、第１重なり部が互いに異なる前記第１止水板の内面に重ねられる
ことを特徴とする請求項１記載の開口部の防水装置。
【請求項３】
前記一対の補強部材は、大きさが異なる
ことを特徴とする請求項２記載の開口部の防水装置。
【請求項４】
前記補強部材は、前記第１重なり部と前記第２重なり部とを連結し前記開閉体に対向する対向面が平面である
ことを特徴とする請求項１から請求項３のいずれか一つに記載の開口部の防水装置。
【請求項５】
前記補強部材は、前記第１重なり部と前記第２重なり部とを連結し前記開閉体に対向する対向面が凹状の曲面である
ことを特徴とする請求項１から請求項３のいずれか一つに記載の開口部の防水装置。
【請求項６】
前記補強部材は、前記第１重なり部が前記第１止水板の内面に重ねられ、かつ前記第２重なり部が前記第２止水板の内面に重ねられると、前記床面から立設する台状である
ことを特徴とする請求項１から請求項５のいずれか一つに記載の開口部の防水装置。
【請求項７】
前記第１止水板及び第２止水板の鉛直方向下端側の所定部と、前記構造物のうち前記所定部に隣接する部分とを一体に覆うことで前記開口部の鉛直方向下端側を閉塞し、鉛直方向下端部が床面に沿って屋外側に向けて延在するように、幅方向の両端が保持されるシートを備える
ことを特徴とする請求項１から請求項６のいずれか一つに記載の開口部の防水装置。
【発明の詳細な説明】
【技術分野】
【０００１】
本発明は、開口部の防水装置に関する。
【背景技術】
【０００２】
従来、豪雨、津波、河川の氾濫などの水害時に、外部である屋外からの水は、構造物の開口部から内部である構造物内（屋内）に侵入するため、構造物の開口部に防水機構が設けられている。防水機構としては、開口部の通常使用時には他の場所に保管されている防水板を、水害時に構造部内に水が侵入する虞がある場合に、作業員が開口部に設置して、開口部の底面から所定の高さまでを塞ぐものがある。また、開口部に開閉装置が備えられている場合、開閉体の下端部に防水板を設け、開口部を塞ぐように防水板を床に設置することで、防水板により出入口の底面から所定の高さまでを塞ぐものがある（特許文献１参照）。
【先行技術文献】
【特許文献】
【０００３】
【特許文献１】実公平５−２２６３０号公報
【発明の概要】
【発明が解決しようとする課題】
【０００４】
前述した特許文献１に示された技術では、作業員が出入口に防水板を設置する場合は、防水板を開口部と平行に設置することとなる。このために、両端部が支持されている防水板が水圧を受けることとなるので、水圧による変形を抑制するため、防水板の板厚を厚くすることとなり、重量増加となる。このため、作業員による防水板の運搬を考慮して、１枚ではなく複数枚の防水板により開口部を塞ぐこととなる。従って、複数の防水板の運搬に時間がかかり、設置作業に時間を要するという問題があった。
【０００５】
本発明の目的は、開口部を塞ぐ止水板の軽量化を図ることができる開口部の防水装置を提供することである。
【課題を解決するための手段】
【０００６】
本発明の開口部の防水装置は、構造物の屋内側と屋外側とを連通しかつ開閉体によって開閉される開口部の幅方向に対向して設けられた一対の受け部材それぞれに一端部が取り付けられて、前記開口部よりも屋外側で床面から立設する一対の第１止水板と、前記第１止水板の他端部同士を連結して床面から立設する第２止水板と、前記第１止水板の屋内側の内面に重なる第１重なり部と、前記第２止水板の屋内側の内面に重なる第２重なり部とを有する補強部材と、を備えることを特徴とする。
【０００７】
上記開口部の防水装置では、補強部材が第１止水板の内面に重なる第１重なり部と第２止水板の内面に重なる第２重なり部とを備えるので、第１止水板に作用する水圧が補強部材を介して第２止水板に、当該第２止水板に作用する水圧と逆向きに作用することとなる。また、第２止水板に作用する水圧が補強部材を介して第１止水板に、当該第１止水板に作用する水圧と逆向きに作用することとなる。したがって、第１止水板及び第２止水板の厚みと重量を軽減でき、開口部を塞ぐ第１止水板及び第２止水板の軽量化を図ることができる。
【０００８】
また、開口部の防水装置は、第１止水板の一端部が受け部材に取り付けられかつ第２止水板が第１止水板の他端部同士を連結しているので、開口部に設置された後も、開閉体を開閉することができ、開口部から出入りすることができる。
【０００９】
上記開口部の防水装置において、前記補強部材は、一対設けられ、第１重なり部が互いに異なる前記第１止水板の内面に重ねられることが好ましい。
【００１０】
上記開口部の防水装置では、補強部材が一対設けられて、第１重なり部が互いに異なる第１止水板の内面に重ねられるので、一対の第１止水板それぞれに作用する水圧を補強部材を介して第２止水板に、当該第２止水板に作用する水圧と逆向きに作用させることができる。したがって、第２止水板の厚みと重量をより軽減できる。
【００１１】
上記開口部の防水装置において、前記一対の補強部材は、大きさが異なることが好ましい。
【００１２】
上記開口部の防水装置では、一対の補強部材の大きさが異なるので、開閉体が屋外側に開く開き戸であっても、小さい方の補強部材側の開き戸を確実に開くことができる。したがって、開き戸であっても、設置後に開口部から確実に出入りすることができる。
【００１３】
上記開口部の防水装置において、前記補強部材は、前記第１重なり部と前記第２重なり部とを連結し前記開閉体に対向する対向面が平面であることが好ましい。
【００１４】
上記開口部の防水装置では、補強部材の第１重なり部と第２重なり部とを連結する対向面が平面であるので、補強部材が第１止水板に作用する水圧を第２止水板に確実に作用させることができる。
【００１５】
上記開口部の防水装置において、前記補強部材は、前記第１重なり部と前記第２重なり部とを連結し前記開閉体に対向する対向面が凹状の曲面であることが好ましい。
【００１６】
上記開口部の防水装置では、補強部材の第１重なり部と第２重なり部とを連結する対向面が凹状の曲面であるので、補強部材が第１止水板に作用する水圧を第２止水板に確実に作用させることができるとともに、開閉体が屋外側に開く開き戸であっても、開き戸が開く際に補強部材に干渉することを抑制できる。
【００１７】
上記開口部の防水装置において、前記補強部材は、前記第１重なり部が前記第１止水板の内面に重ねられ、かつ前記第２重なり部が前記第２止水板の内面に重ねられると、前記床面から立設する台状であることが好ましい。
【００１８】
上記開口部の防水装置では、補強部材が台状であるので、設置後に補強部材を踏み台にして開口部から容易に出入りすることができる。
【００１９】
上記開口部の防水装置において、前記第１止水板及び第２止水板の鉛直方向下端側の所定部と、前記構造物のうち前記所定部に隣接する部分とを一体に覆うことで前記開口部の鉛直方向下端側を閉塞し、鉛直方向下端部が床面に沿って屋外側に向けて延在するように、幅方向の両端が保持されるシートを備えることが好ましい。
【００２０】
上記開口部の防水装置では、第１止水板及び第２止水板の屋外側を覆うシートを備えているので、第１止水板及び第２止水板などの軽量化を図っても、シートに作用する水圧により第１止水板及び第２止水板が床面に押し付けられ、第１止水板及び第２止水板が浮き上がることを抑制できる。
【発明の効果】
【００２１】
本発明に係る開口部の防水装置は、開口部を塞ぐ止水板の軽量化を図ることができるという効果を奏する。
【図面の簡単な説明】
【００２２】
【図１】図１は、実施形態に係る開口部の防水装置を示す斜視図である。
【図２】図２は、実施形態に係る開口部の防水装置により防水される開口部などを示す斜視図である。
【図３】図３は、実施形態に係る開口部の防水装置の折り畳まれた第１止水板及び第２止水板を示す斜視図である。
【図４】図４は、実施形態に係る開口部の防水装置の第１止水板及び第２止水板に補強部材が取り付けられる状態を示す斜視図である。
【図５】図５は、図１に示された開口部の防水装置の平面図である。
【図６】図６は、実施形態に係る開口部の防水装置が開き戸が設けられた開口部に設置された状態を示す平面図である。
【図７】図７は、実施形態の変形例１に係る開口部の防水装置を示す平面図である。
【図８】図８は、実施形態の変形例２に係る開口部の防水装置を示す平面図である。
【図９】図９は、実施形態の変形例３に係る開口部の防水装置を示す斜視図である。
【発明を実施するための形態】
【００２３】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２４】
［実施形態］
図１から図６を参照して、実施形態について説明する。実施形態は、構造物の開口部を防水する開口部の防水装置に関する。図１は、実施形態に係る開口部の防水装置を示す斜視図、図２は、実施形態に係る開口部の防水装置により防水される開口部などを示す斜視図、図３は、実施形態に係る開口部の防水装置の折り畳まれた第１止水板及び第２止水板を示す斜視図、図４は、実施形態に係る開口部の防水装置の第１止水板及び第２止水板に補強部材が取り付けられる状態を示す斜視図、図５は、図１に示された開口部の防水装置の平面図、図６は、実施形態に係る開口部の防水装置が開き戸が設けられた開口部に設置された状態を示す平面図である。
【００２５】
建物等の構造物の外部開口部には、開閉体としてのシャッターや開閉扉が付けられることが多い。例えば、洪水時などに浸水しやすい地下駐車場の入口や、浸水すると商品が毀損されやすい店舗の入口等にもシャッターや開閉扉が付けられていることが多い。シャッターは、隙間が多い構造であるため、ゲリラ豪雨や洪水時にはシャッターの隙間を介した浸水によってこれらの施設が被害に遭う可能性がある。また、開閉扉には、扉間及び各扉と開口部との間に隙間があるために、ゲリラ豪雨や洪水時には隙間を介した浸水によって店舗等の施設が被害に遭う可能性がある。
【００２６】
実施形態に係る開口部の防水装置１は、開閉体としてのシャッターや開閉扉の前に止水板を設置して、止水することを可能とする。よって、実施形態の開口部の防水装置１によれば、水害による建物内部の被害を軽減することができる。
【００２７】
図１に示す開口部の防水装置１は、構造物Ｓの開口部Ｏ（図２に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓのガラスなどの透明又は半透明の材料で構成された壁部３等に形成されており、構造物Ｓの屋外側と屋内側とを連通している。本実施形態では、開口部Ｏは、アルミニウム合金で構成されかつ壁部３よりも厚い縦方立３ａなどにより囲まれている。縦方立３ａは、開口部Ｏの幅方向に対向して一対設けられた受け部材をなしている。また、本実施形態では、壁部３の下端部には、図１及び図２に示すように、壁部３よりも厚い幅木６が設けられている。
【００２８】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。また、壁部３は、予め十分な止水性を有するものが好ましいが、例えば、嵌め殺しサッシ、塀などの許容できる範囲内で水漏れするもの、又は、別途止水性を付加（例えば、土嚢の設置や公知の水密処理など）して止水性を発揮するものでもよい。
【００２９】
前述した開口部Ｏには、当該開口部Ｏを開閉する開閉体としての開閉扉４が設けられている。開閉扉４は、図２に示すように、開閉方向、本実施形態では左右水平方向に移動する扉５を一対備えている。
【００３０】
開閉扉４の一対の扉５は、図示しないガイドレールによって案内される。ガイドレールは、開口部Ｏの上下両端に設けられ、壁部３の表面と平行である。扉５の上下方向の両端部は、それぞれガイドレールの溝部に挿入されている。溝部は、開閉方向即ち左右水平方向に延在しており、扉５を開閉方向、即ち、左右方向に移動自在に案内する。扉５の幅方向の両端には、扉５よりも厚い扉側縦方立５ａが設けられ、扉５の下端部には、扉５よりも厚い扉側幅木５ｂが設けられている。扉側縦方立５ａの厚みと扉側幅木５ｂの厚みは等しい。なお、本発明でいう床面とは、説明上分かりやすくするための便宜上の表現であって、通常の床面７のみならず、コンクリート面や地面等の開口部Ｏの下方に位置する面を総称する。
【００３１】
開閉扉４は、一対の扉５が互いに近付いて開口部Ｏを閉塞し、一対の扉５が互いに離間して開口部Ｏを開放する。扉５の移動は、手動でなされても、モータ等の駆動装置によって自動でなされてもよい。本実施形態の開閉扉４は、一対の扉５、ガイドレールなどを有する。
【００３２】
図１に戻り、開口部の防水装置（以下、防水装置と呼ぶ）１は、一対の第１止水板１０と、一つの第２止水板１１と、一対の補強部材１２などを備える。第１止水板１０及び第２止水板１１は、例えば外周面がステンレス鋼などで形成された平板である。
【００３３】
第１止水板１０は、平面形状が矩形状に形成されている。第１止水板１０は、縦方立３ａに取り付けられる保持部材２０に一端部１０ａが保持されて、一端部１０ａが縦方立３ａそれぞれに取り付けられて、開口部Ｏよりも屋外側で床面７から立設する。保持部材２０は、縦方立３ａに取り付けられると、床面７から上方に鉛直方向に延在する。保持部材２０は、断面形状がコの字状に形成されて、内側に第１止水板１０の一端部１０ａが内側に挿入されることで、第１止水板１０の一端部１０ａを縦方立３ａに取り付ける。
【００３４】
第２止水板１１は、開口部Ｏの正面視において幅方向に長い矩形状に形成され、開口部Ｏの幅方向の長さが開口部Ｏの幅Ｗと略等しく形成されている。第２止水板１１は、開口部Ｏの幅方向の両端部１１ａがヒンジ機構１３を介して第１止水板１０の他端部１０ｂに連結されている。第２止水板１１は、ヒンジ機構１３を介して一対の第１止水板１０の他端部１０ｂ同士を連結して、床面７から立設して、開口部Ｏの幅方向と平行となる。なお、第１止水板１０及び第２止水板１１の厚みは、後述する水圧に耐えることができる厚みに設定されている。また、第１止水板１０及び第２止水板１１の床面７からの高さは、人が跨げる程度であることが望ましく、例えば、１６（建築基準法施行令に定められた小学校の児童の階段の蹴上げ寸法の上限）ｃｍから３８（ＪＩＳ（日本工業規格）  Ｓ  １０２１における身長１５０ｃｍの人の教室用椅子４号の座面の高さ）ｃｍ程度であるのが望ましい。また、第１止水板１０及び第２止水板１１の床面７からの高さは、止水高さの要望次第では椅子などを台にして跨ぐことを前提に１ｍ程度まででもよく、脚立などを使って渡ることを前提に１．５ｍ程度まででもよい。
【００３５】
ヒンジ機構１３は、図３に示すように、第１止水板１０の他端部１０ｂと第２止水板１１の両端部１１ａとを連結するものである。ヒンジ機構１３は、第１止水板１０の他端部１０ｂと第２止水板１１の両端部１１ａとを連結することで、鉛直方向視において第１止水板１０と第２止水板１１を相対回転可能に支持するものである。また、ヒンジ機構１３は、防水装置１の設置時に、第１止水板１０及び第２止水板１１の水圧を受ける側と反対側の面、即ち、開閉扉４や開口部Ｏと対向する屋内側の内面１０ｃ，１１ｃに取り付けられている。ヒンジ機構１３は、図３に示す第１止水板１０及び第２止水板１１の前述した開口部Ｏと対向する内面１０ｃ，１１ｃ同士が重なる状態と、図４に示す第１止水板１０及び第２止水板１１の内面１０ｃ，１１ｃ同士が直交する状態とに亘って、第１止水板１０と第２止水板１１を相対回転可能とする。なお、ヒンジ機構１３は、本実施形態では、第１止水板１０及び第２止水板１１の鉛直方向に間隔をあけて複数設けられているが、本発明では、これに限定されるものではなく、鉛直方向に延在して一つのみ設けられてもよい。
【００３６】
また、第１止水板１０の他端部１０ｂと、第２止水板１１の両端部１１ａとのうちの一方には、第１止水板１０と第２止水板１１との間を止水するシール部材１４が取り付けられている。本実施形態では、シール部材１４は、第２止水板１１の両端部１１ａそれぞれに設けられている。シール部材１４は、第２止水板１１の両端部１１ａに鉛直方向、即ち、第２止水板１１の短手方向に沿って第２止水板１１の上端面部から下端面部まで設けられている。シール部材１４は、例えば、ゴムやウレタンなどの弾性部材であり、鉛直方向視において四角柱状に形成されている。ここで、鉛直方向視において、シール部材１４の第２止水板１１の両端部１１ａに固定されている側面と、第１止水板１０の他端部１０ｂに当接する側面とのなす角度は、防水装置１の設置時に、第２止水板１１の両端部１１ａと第１止水板１０の他端部１０ｂとのなす角度よりも若干大きく設定されている。これにより、防水装置１の設置時に、シール部材１４が第１止水板１０の他端部１０ｂと鉛直方向に沿って接触することとなる。
【００３７】
補強部材１２は、防水装置１の設置時に、第１止水板１０及び第２止水板１１の水圧を受ける側と反対側の面、即ち、開閉扉４や開口部Ｏと対向する屋内側の内面１０ｃ，１１ｃの双方に取り付けられる。補強部材１２は、図１に示すように、第１止水板１０の内面１０ｃに重なる第１重なり面１２ａ（第１重なり部に相当）と、第２止水板１１の内面１１ｃに重なる第２重なり面１２ｂ（第２重なり部に相当）と、第１重なり面１２ａと第２重なり面１２ｂとを連結し防水装置１の設置時に開閉扉４に対向する対向面１２ｃとを備えて、鉛直方向視において、三角柱状に形成されている。一対の補強部材１２の第１重なり面１２ａは、互いに異なる第１止水板１０の内面１０ｃに重ねられ、内面１０ｃと平行な平面に形成されている。第２重なり面１２ｂは、第２止水板１１の内面１１ｃに重ねられ、内面１１ｃと平行な平面に形成されている。対向面１２ｃは、第１止水板１０の内面１０ｃと第２止水板１１の内面１１ｃとの双方と交差する平面であり、本実施形態では、第１止水板１０の内面１０ｃと第２止水板１１の内面１１ｃとの双方となす角度が約４５度に形成されている。
【００３８】
また、補強部材１２の第１重なり面１２ａと第１止水板１０の内面１０ｃとには、互いに係合するなどして固定する係合突起１５と係合凹部１６が設けられ、補強部材１２の第２重なり面１２ｂと第２止水板１１の内面１１ｃとには、互いに係合するなどして固定する係合突起１５と係合凹部１６が設けられている。本実施形態では、係合突起１５は、第１止水板１０の内面１０ｃと第２止水板１１の内面１１ｃの下端面部に設けられ、係合凹部１６は、第１重なり面１２ａと第２重なり面１２ｂの下端面部に設けられている。補強部材１２は、係合凹部１６が係合突起１５に係合することで、重なり面１２ａ，１２ｂが内面１０ｃ，１１ｃに密に重ねられて、第１止水板１０及び第２止水板１１の屋内側で床面７上に立設する。また、補強部材１２は、重なり面１２ａ，１２ｂが内面１０ｃ，１１ｃに密に重ねられると、床面７から立設する台状である。また、本発明では、係合突起１５と係合凹部１６を設けずに、ピンなどを用いて、止水板１０，１１に補強部材１２を取り付けてもよく、止水板１０，１１のいずれか一方に補強部材１２をヒンジ機構１３により回動自在に連結してもよい。また、補強部材１２を薄手の平板状に形成してもよい。
【００３９】
また、防水装置１では、第１止水板１０の下端面部と第２止水板１１の下端面部との双方に、床面７に密着して、床面７との間を止水する図示しない止水ゴムが取り付けられている。
【００４０】
次に、防水装置１の設置について説明する。防水装置１は、上述のように、保持部材２０が縦方立３ａに着脱可能であるため、開閉扉４の通常使用時は、別の場所に保管されている。保管時の防水装置１は、止水板１０，１１は、図３に示すように、折り畳まれる。つまり、防水装置１は、第１止水板１０と第２止水板１１を平行にして、大きさを設置時よりも小さくした状態で保管することができる。従って、防水装置１の保管のスペースを小さくすることができる。また、大きさが小さくなるので、運搬を容易にすることができる。
【００４１】
まず、作業員は、保管されている防水装置１を開閉扉４まで運搬する。次に、作業員は、縦方立３ａそれぞれに保持部材２０を取り付ける。この際、保持部材２０を床面７に密着させる。次に、作業員は、第１止水板１０をヒンジ機構１３を中心として回転させた後、第１止水板１０それぞれの一端部１０ａを保持部材２０に保持させ、止水板１０，１１の止水ゴムを床面７に密着させる。そして、作業員は、係合突起１５に係合凹部１６を係合させて、一対の補強部材１２それぞれを第１止水板１０及び第２止水板１１に取り付けて、防水装置１を設置する。
【００４２】
次に、設置時の防水装置１が水圧を受けた場合について説明する。設置時の防水装置１は、図５に示すように、第１止水板１０及び第２止水板１１が水圧を受ける側、即ち屋外側に開口部Ｏよりも突出している。この状態で、構造物Ｓの屋外側から水が開口部Ｏに向かって流れ込もうとすると、防水装置１により開口部Ｏが閉塞されているため、防水装置１に対する水位が上昇し、防水装置１が受ける水圧Ｓ１，Ｓ２（図５中に矢印で示す）が増加する。そして、第１止水板１０には、開口部Ｏの幅方向に中央に向かう水圧Ｓ１が作用し、第２止水板１１には、開口部Ｏ内に向かう水圧Ｓ２が作用する。
【００４３】
すると、補強部材１２の第１重なり面１２ａが第１止水板１０の内面１０ｃに重なり、補強部材１２の第２重なり面１２ｂが第２止水板１１の内面１１ｃに重なるので、第１止水板１０に作用する開口部Ｏの幅方向の中央に向かう水圧Ｓ１の一部が、補強部材１２を介して第２止水板１１に、第２止水板１１に作用する水圧Ｓ２と逆向きの方向Ｓ１ａに作用する。また、補強部材１２の第１重なり面１２ａが第１止水板１０の内面１０ｃに重なり、補強部材１２の第２重なり面１２ｂが第２止水板１１の内面１１ｃに重なるので、第２止水板１１に作用する開口部Ｏ内に向かう水圧Ｓ２の一部が、補強部材１２を介して第１止水板１０に、第１止水板１０に作用する水圧Ｓ１と逆向きの方向Ｓ２ａに作用する。このために、第１止水板１０に作用する水圧Ｓ１の一部がＳ２ａ方向の力により相殺され、第２止水板１１に作用する水圧Ｓ２の一部がＳ１ａ方向の力により相殺される。
【００４４】
以上のことから、実施形態に係る防水装置１は、第１止水板１０に作用する水圧Ｓ１の一部がＳ２ａ方向の力により相殺され、第２止水板１１に作用する水圧Ｓ２の一部がＳ１ａ方向の力により相殺される。したがって、防水装置１は、第１止水板１０と第２止水板１１の厚みと重量を軽減でき、開口部Ｏを塞ぐ第１止水板１０及び第２止水板１１の軽量化を図ることができる。
【００４５】
また、防水装置１は、第１止水板１０の一端部１０ａが縦方立３ａに取り付けられかつ第２止水板１１が第１止水板１０の他端部１０ｂ同士を連結しているので、開口部Ｏに設置された後も、開閉扉４を開閉することができ、開口部Ｏから出入りすることができる。
【００４６】
さらに、防水装置１は、補強部材１２が一対設けられて、補強部材１２の第１重なり面１２ａが互いに異なる第１止水板１０の内面１０ｃに重ねられるので、一対の第１止水板１０それぞれに作用する水圧Ｓ１の一部を補強部材１２を介して第２止水板１１に、当該第２止水板１１に作用する水圧Ｓ２と逆向きの方向Ｓ１ａに作用させることができる。したがって、第２止水板１１の厚みと重量をより軽減できる。
【００４７】
防水装置１は、補強部材１２の第１重なり面１２ａと第２重なり面１２ｂとを連結する対向面１２ｃが平面であるので、補強部材１２が第１止水板１０に作用する水圧Ｓ１の一部を第２止水板１１に確実に作用させることができ、第２止水板１１に作用する水圧Ｓ２の一部を第１止水板１０に確実に作用させることができる。
【００４８】
防水装置１は、補強部材１２が台状であるので、設置後に補強部材１２を踏み台にして開口部Ｏから容易に出入りすることができる。
【００４９】
また、前述した実施形態に記載された防水装置１は、図６に示すように、開閉体としての一対の開き戸８，８が設けられる開口部Ｏにも設置することができる。一対の開き戸８，８は、開口部Ｏの幅方向に並べられ、縦方立３ａ寄りの一端部が鉛直方向と平行な軸心回りに回転されることで、開口部Ｏを開閉する。即ち、一対の開き戸８，８は、図６に実線で示すように、開口部Ｏの幅方向と平行に位置付けられて開口部Ｏを閉塞する。また、開き戸８，８は、図６に点線で示すように、図６に実線で示す位置から開き戸８，８の他端部が屋外側又は屋内側に向かうように一端部の軸心回りに回転されることで、開口部Ｏを開放する。なお、開き戸８，８の回転は、手動でなされても、モータ等の駆動装置によって自動になされてもよい。前述した防水装置１は、第１止水板１０及び第２止水板１１が水圧を受ける側、即ち屋外側に開口部Ｏよりも突出しているので、開口部Ｏへの設置後であっても、第１止水板１０及び第２止水板１１が開口部Ｏを開閉する開き戸８，８に干渉することを抑制できる。
【００５０】
［変形例１］
図７を参照して、実施形態の変形例１について説明する。図７は、実施形態の変形例１に係る開口部の防水装置を示す平面図である。なお、図７において、実施形態と同一部分には、同一符号を付して説明を省略する。
【００５１】
実施形態の変形例１に係る防水装置１−１では、図７に示すように、平面視において、一対の補強部材１２は、大きさが互いに異なる。このために、防水装置１−１は、実施形態と同様に、第１止水板１０及び第２止水板１１の厚みと重量を軽減できることにくわえ、屋外側に開く開き戸８，８が設けられた開口部Ｏに設置されても、小さい方の補強部材１２（符号１２−１で示す）側の開き戸８をより確実に開くことができる。したがって、防水装置１−１は、開き戸８，８が設けられた開口部Ｏに設置されても、設置後に開口部Ｏから確実に出入りすることができる。
【００５２】
［変形例２］
図８を参照して、実施形態の変形例２について説明する。図８は、実施形態の変形例２に係る開口部の防水装置を示す平面図である。なお、図８において、実施形態と同一部分には、同一符号を付して説明を省略する。
【００５３】
実施形態の変形例２に係る防水装置１−２では、図８に示すように、一対の補強部材１２−２の対向面１２ｃ−２は、平面視において、開口部Ｏから離れる方向に凹状の曲面に形成されている。このために、防水装置１−２は、実施形態と同様に、第１止水板１０及び第２止水板１１の厚みと重量を軽減できることにくわえ、屋外側に開く開き戸８，８が設けられた開口部Ｏに設置されても、開き戸８，８を屋外側に開く際に補強部材１２に干渉することを抑制することができる。したがって、防水装置１−２は、開き戸８，８が設けられた開口部Ｏに設置されても、設置後に開口部Ｏから確実に出入りすることができる。
【００５４】
［変形例３］
図９を参照して、実施形態の変形例３について説明する。図９は、実施形態の変形例３に係る開口部の防水装置を示す斜視図である。なお、図９において、実施形態と同一部分には、同一符号を付して説明を省略する。
【００５５】
実施形態の変形例３に係る防水装置１−３では、図９に示すように、一対の第１止水板１０、第２止水板１１及び一対の補強部材１２にくわえ、シート４０を備えている。
【００５６】
シート４０は、第１止水板１０及び第２止水板１１の屋外側に被せられて、設置されるものであり、第１止水板１０及び第２止水板１１の鉛直方向下端側の領域を閉塞することが可能な幅および長さを有している。シート４０の形状は、例えば、矩形である。シート４０は、遮水性を有しており、開口部Ｏの防水シートとして機能することができる。また、シート４０は、可撓性を有しており、伸縮可能であってもよい。シート４０の素材は、例えば、樹脂、ゴム、表面を樹脂などでコーティングした布とすることができる。シート４０は、水圧によって追従して変形可能な素材で構成されることが好ましい。
【００５７】
シート４０の幅は、開口部Ｏの幅Ｗ（図１及び図２参照）よりも大きい。シート４０の鉛直方向の長さは、対応すべき水深に基づいて定められている。すなわち、第１止水板１０及び第２止水板１１の下端面部から鉛直方向上側に向けてどの範囲をシート４０によって覆い防水するかに基づいてシート４０の全長が定められている。以下の説明では、第１止水板１０及び第２止水板１１においてシート４０によって覆われるべき部分を「所定部」（図９の符号４１参照）と称する。所定部４１は、開閉扉４の鉛直方向下端側の部分である。
【００５８】
また、シート４０の上端部には、第１止水板１０及び第２止水板１１の屋外側の表面に取り付けられる吸盤４２が複数取り付けられている。また、本発明では、吸盤４２の全て又は一部をピンチ（クリップ）、粘着材、フック、ファスナー、ひも、鋲などの他の止着手段に置き換えてもよく、また、シート４０を止着手段（例えば、吸盤４２等）で止水板１０，１１に止着することは、シート４０の撓み抑制の必要性に応じておこなえばよい。
【００５９】
シート４０の幅方向の両端には、それぞれ、心材４３が配置されている。心材４３は、軽量でかつ可撓性を有する素材、例えば樹脂素材で形成されている。心材４３は、シート４０の幅方向の両端の上端から所定部４１の下端に対応する箇所、即ち、シート４０の幅方向の両端の後述のシート下部４４を除く箇所に配置されている。心材４３は、シート４０の長さ方向（鉛直方向）に延在している。心材４３は、円柱状に形成され、シート用保持部材５０のスリット５１内に挿入可能である。
【００６０】
シート４０の幅方向の両端に設けられた心材４３は、保持部材２０又は縦方立３ａに取り付けられるシート用保持部材５０に支持される。シート用保持部材５０は、シート４０を第１止水板１０及び第２止水板１１よりも屋外側に位置付けて構造物Ｓに対して保持する。より詳しくは、シート用保持部材５０は、第１止水板１０及び第２止水板１１の所定部４１と、構造物Ｓのうち所定部４１に隣接する部分とを一体に覆うことで開口部Ｏの鉛直方向下端側を閉塞させるようにシート４０の幅方向の両端を保持する。また、シート用保持部材５０は、シート４０の鉛直方向下端部が床面７に沿って屋外側に向けて延在するようにシート４０の幅方向の両端を保持する。これにより、シート４０は、第１止水板１０と第２止水板１１との間の隙間や、第１止水板１０及び第２止水板１１と床面７との隙間を塞ぎ、屋内側への浸水を抑制することができる。なお、本明細書では、シート４０の鉛直方向下端部であって、シート４０が保持部材２０によって保持された状態で床面７に沿って延在する部分を、以下「シート下部４４」と記載する。
【００６１】
図９に示すように、シート用保持部材５０は、一対設けられ、縦方立３ａに着脱自在である。シート用保持部材５０は、鉛直方向に直線状に形成され、かつ、断面Ｃ字形に形成されている。シート用保持部材５０は、屋外側に対向する面にスリット５１が形成されている。シート用保持部材５０は、スリット５１内にシート４０の幅方向の両端及び心材４３が挿入されることで、シート４０の幅方向の端を保持する。シート用保持部材５０は、縦方立３ａに取り付けられると、鉛直方向に延在し、第１止水板１０及び第２止水板１１の所定部４１に対応する範囲に配置される。なお、心材４３は、円柱状のものには限定されず、例えば、断面が矩形などの多角形の平板状であってもよい。
【００６２】
シート４０を防水装置１−３に設置する際には、縦方立３ａにシート用保持部材５０を取り付けるとともに、シート４０を第１止水板１０及び第２止水板１１の外側に被せて、シート４０の幅方向の両端及び心材４３を、シート用保持部材５０の上端からスリット５１内に挿入し、シート４０の両端及び心材４３を保持部材２０の下端に向けてシート用保持部材５０内で移動させる。そして、シート４０の両端及び心材４３がシート用保持部材５０のスリット５１内に挿入され、シート４０の心材４３が設けられていないシート下部４４を、床面７に沿って屋外側に向けて延在させる。そして、吸盤４２を第１止水板１０及び第２止水板１１の表面に取り付けて、シート４０の上端部を第１止水板１０及び第２止水板１１の表面に取り付け、床面７上のシート下部４４上に図示しない押圧部材を載せてもよい。
【００６３】
防水装置１−３では、洪水やゲリラ豪雨等によって屋外の水嵩が増すと、まずシート下部４４が水に接する。水圧によってシート下部４４は床面７に向けて押圧されて、シート下部４４が床面７に密着する。これにより、シート下部４４と床面７との間から水が浸入することが抑制される。また、押圧部材によってシート下部４４が床面７に向けて押圧されていることで、低水位の場合であってもシート下部４４と床面７との隙間を介した浸水がより確実に抑制される。シート４０は、水圧によって第１止水板１０及び第２止水板１１の所定部４１と、所定部４１に隣接する床面７とを一体に覆うことができ、水圧によって、第１止水板１０及び第２止水板１１を床面７に押し付けることができる。
【００６４】
実施形態の変形例３に係る防水装置１−３は、実施形態の効果にくわえ、第１止水板１０及び第２止水板１１の屋外側を覆うシート４０を備えているので、第１止水板１０及び第２止水板１１などの軽量化を図っても、シート４０に作用する水圧により第１止水板１０及び第２止水板１１を床面７に押し付け、第１止水板１０及び第２止水板１１が浮き上がることを抑制できる。
【００６５】
実施形態及び変形例１〜変形例３では、補強部材１２を一対備えているが、本発明では、これに限定することなく、防水装置１，１−１，１−２，１−３は、補強部材１２を一つのみ、又は三つ以上備えてもよい。また、防水装置１，１−１，１−２，１−３は、補強部材１２を複数備えている場合には、すべての補強部材１２の第１重なり面１２ａが同一の第１止水板１０の内面１０ｃに重ねられてもよく、互いに異なる第１止水板１０の内面１０ｃに重ねられてもよい。
【００６６】
実施形態及び変形例１〜変形例３では、開閉体として開閉扉４や開き戸８を示しているが、本発明では、開閉体として、複数のスラットを開閉方向に連接して形成されて昇降動作などの移動することで開口部Ｏを開閉するシャッターカーテンを用いても良い。また、本発明では、開閉体として、片開き引戸、引き違い引戸、屋内側に回動する開き戸、折り畳み戸、引き戸と開き戸からなる親子扉、カーテン部に潜り戸を設けたシャッター、袖扉を有しその袖扉と一緒に開口部Ｏを閉鎖するシャッター、格子状の門扉であってもよい。さらに、本発明では、開閉体は、防水装置１を設置している間常時出入り可能に開けたままとするものでもよいし、状況に応じて開閉するものでもよい。
【００６７】
上記の実施形態及び変形例に開示された内容は、適宜組み合わせて実施することができる。
【符号の説明】
【００６８】
１，１−１，１−２，１−３  開口部の防水装置
３ａ  縦方立（受け部材）
４  開閉扉（開閉体）
７  床面
８  開き戸（開閉体）
１０  第１止水板
１０ａ  一端部
１０ｂ  他端部
１０ｃ  内面
１１  第２止水板
１１ｃ  内面
１２，１２−２  補強部材
１２ａ  第１重なり面（第１重なり部）
１２ｂ  第２重なり面（第２重なり部）
１２ｃ，１２ｃ−２  対向面
４０  シート
４１  所定部
４４  シート下部（鉛直方向下端部）
Ｏ  開口部
Ｓ  構造物
【図１】
2019123989.tif 000003
【図２】
2019123989.tif 000004
【図３】
2019123989.tif 000005
【図４】
2019123989.tif 000006
【図５】
2019123989.tif 000007
【図６】
2019123989.tif 000008
【図７】
2019123989.tif 000009
【図８】
2019123989.tif 000010
【図９】
2019123989.tif 000011